(57)【要約】【課題】  発電システムの排気ガスを冷却する。【解決手段】  システムは、ガスタービンシステム（１２）の圧縮機構成要素（１８）と、ガスタービンシステム（１２）の回転シャフト（２４）に取り付けるための空気流発生システムであって、空気流発生システム及び圧縮機構成要素（１８）が、吸気セクション（１６）を通して過剰空気流（７２）を引き入れる、空気流発生システムと、ガスタービンシステム（１２）により生成された排気ガス流（３２）を受け入れる混合領域（３３）と、空気流発生システム及び圧縮機構成要素により発生した過剰空気流を抽出して、バイパス空気を提供するための及びバイパス空気を混合領域（３３）内に分流して排気ガス流（３２）の温度を下げるための、空気抽出システム（７０）と、霧化流体（２２４）を混合領域（３３）に注入して排気ガス流（３２）の温度を下げる流体注入システム（２００）と、を含む。【選択図】      図１
2017015075.tif 000002
【特許請求の範囲】
【請求項１】
ガスタービンシステム（１２）の排気ガス流（３２）の温度を下げるためのシステムであって、
前記ガスタービンシステム（１２）の圧縮機構成要素（１８）と、
前記ガスタービンシステム（１２）の回転シャフト（２４）に取り付けるための空気流発生システムであって、前記空気流発生システム及び前記圧縮機構成要素（１８）が、吸気セクション（１６）を通して過剰空気流（７２）を引き入れる、空気流発生システムと、
前記ガスタービンシステム（１２）により生成された排気ガス流（３２）を受け入れるための混合領域（３３、２３０）と、
前記空気流発生システム及び前記圧縮機構成要素（１８）により発生した前記過剰空気流（７２）の少なくとも一部を抽出してバイパス空気を提供するための、及び前記バイパス空気を前記混合領域（３３、２３０）内に分流して前記排気ガス流（３２）の温度を下げるための、空気抽出システム（７０）と、
霧化流体を前記混合領域（３３、２３０）に注入して前記排気ガス流（３２）の温度を下げるための、流体注入システム（２００）と、
を備える、システム。
【請求項２】
前記空気流発生システム及び前記圧縮機構成要素（１８）により発生された前記過剰空気流（７２）が、前記ガスタービンシステム（１２）の燃焼器構成要素（２０）及びタービン構成要素（２２）の少なくとも一方の流量容量よりも約１０％から約４０％大きい、請求項１に記載のシステム。
【請求項３】
前記ガスタービンシステム（１２）の前記圧縮機構成要素（１８）が、少なくとも１つの過大圧縮機段（５８）を含み、前記空気流発生システムが、ファン（５６）を備える、請求項１に記載のシステム。
【請求項４】
前記霧化流体（２２４）が水を備える、請求項１に記載のシステム。
【請求項５】
温度が下がった排気ガス流（３２）を処理するための、一酸化炭素（ＣＯ）除去システム及び選択的触媒還元（ＳＣＲ）システムを含む排気処理システム（１４）をさらに備える、請求項１に記載のシステム。
【請求項６】
前記混合領域（３３、２３０）が前記排気処理システム（１４）の上流に配置される、請求項５に記載のシステム。
【請求項７】
前記混合領域（３３、２３０）が、前記（ＣＯ）除去システムと前記選択的触媒還元（ＳＣＲ）システムとの間に配置される、請求項５に記載のシステム。
【請求項８】
前記霧化流体（２２４）が、水及びアンモニア溶液を含む、請求項７に記載のシステム。
【請求項９】
前記空気抽出システム（７０）が、
前記ガスタービンシステム（１２）の周りで前記バイパス空気を分流し、前記混合領域（３３、２３０）に流入させて前記排気ガス流（３２）の温度を下げるための、バイパスダクト（７６）、又は
前記ガスタービンシステム（１２）を囲み、空気通路（１１３）を形成するエンクロージャであって、前記バイパス空気は、前記空気通路（１１３）を通って前記ガスタービンシステム（１２）の周りを流れて前記混合領域（３３、２３０）に流入して前記排気ガス流（３２）の温度を下げる、エンクロージャ、
を備える、請求項１に記載のシステム。
【請求項１０】
前記空気抽出システム（７０）が、前記過剰空気流（７２）の一部を前記圧縮機構成要素（１８）内に分流して前記ガスタービンシステム（１２）を過給するように構成されている、請求項１に記載のシステム。
【請求項１１】
ターボ機械システムであって、
圧縮機構成要素（１８）、燃焼器構成要素（２０）、及びタービン構成要素（２２）を含むガスタービンシステム（１２）であって、前記ガスタービンシステム（１２）の前記圧縮機構成要素（１８）が、少なくとも１つの過大圧縮機段（５８）を含む、ガスタービンシステム（１２）と、
前記タービン構成要素（２２）により駆動されるシャフト（２４）と、
前記ガスタービンシステム（１２）の上流で前記シャフト（２４）に結合したファン（５６）であって、前記ファン（５６）及び前記圧縮機構成要素（１８）の少なくとも１つの過大圧縮機段（５８）が、吸気セクション（１６）を通して過剰空気流（７２）を引き入れる、ファン（５６）と、
前記ガスタービンシステム（１２）により生成された排気ガス流（３２）を受け入れるための混合領域（３３、２３０）と、
前記ファン（５６）及び前記圧縮機構成要素（１８）の前記少なくとも１つの過大圧縮機段（５８）により発生した前記過剰空気流（７２）の少なくとも一部を抽出してバイパス空気を提供するための、及び前記バイパス空気を前記混合領域（３３、２３０）内に分流して前記排気ガス流（３２）の温度を下げるための、空気抽出システム（７０）と、
霧化流体を前記混合領域（３３、２３０）に注入して前記排気ガス流（３２）の温度を下げるための、流体注入システム（２００）と、
前記温度が下がった排気ガス流（３２）を処理するための排気処理システム（１４）と、
を備える、ターボ機械システム。
【請求項１２】
前記霧化流体（２２４）が、水、又は、水及びアンモニア溶液を含む、請求項１１に記載のターボ機械システム。
【請求項１３】
前記排気処理システム（１４）が、一酸化炭素（ＣＯ）除去システム及び選択的触媒還元（ＳＣＲ）システムを備える、請求項１１に記載のターボ機械システム。
【請求項１４】
前記混合領域（３３、２３０）が前記排気処理システム（１４）の上流に配置される、請求項１３に記載のターボ機械システム。
【請求項１５】
前記混合領域（３３、２３０）が、前記（ＣＯ）除去システムと前記選択的触媒還元（ＳＣＲ）システムとの間に配置される、請求項１３に記載のターボ機械システム。
【発明の詳細な説明】
【技術分野】
【０００１】
本開示は、一般に発電システムに関し、より具体的には、発電システムの排気ガスを冷却するためのシステム及び方法に関する。
【背景技術】
【０００２】
発電システム、例えば単純サイクルガスタービン発電システムからの排気ガスは、大気中に放出される排気ガスの組成に関して厳格な規制要件に適合しなければならない場合が多い。ガスタービン発電システムの排気ガス中に典型的に見いだされる規制を受ける成分の１つは、窒素酸化物（すなわちＮＯx）であり、これは、例えば一酸化窒素及び二酸化窒素を含む。排気ガス流からＮＯxを除去するために、選択的触媒還元（ＳＣＲ）などの技術がしばしば利用される。ＳＣＲプロセスにおいて、アンモニア（ＮＨ3）または同種のものがＮＯxと反応して、窒素（Ｎ2）及び水（Ｈ2Ｏ）を生成する。
【０００３】
ＳＣＲプロセスの有効性は、処理される排気ガスの温度に一部依存する。ガスタービン発電システムからの排気ガスの温度は、約１０００°Ｆを上回ることが多い。しかしながら、ＳＣＲ触媒は、妥当な触媒寿命にわたって有効性を維持するには約９００°Ｆより低温で稼働させる必要がある。この点で、単純サイクルガスタービン発電システムからの排気ガスは、典型的にはＳＣＲに先立って冷却される。
【０００４】
周囲空気などの冷却ガスを排気ガスと混合することによりガスタービン発電システムの排気ガス温度を９００°Ｆ未満に下げるために、大型の外部ブロアシステムが用いられている。外部ブロアシステムの故障による触媒の損傷の可能性があるので、冗長外部ブロアシステムが典型的に利用される。これらの外部ブロアシステムは、ブロア、モータ、フィルタ、吸気構造、及び大型ダクトなどの多くの構成要素を含み、これらは高価であり、嵩高く、ガスタービン発電システムの運用コストを付加することになる。さらに、外部ブロアシステムとガスタービン発電システムの動作とは本来的に連動していないので、ＳＣＲ触媒が種々のガスタービン動作モード中に過剰温度に起因して損傷を受ける可能性が高くなる。過剰温度によるＳＣＲ触媒の損傷（例えば、外部ブロアシステムが故障した場合又は排気ガスを十分に冷却できない場合）を防止するために、温度の問題が是正されるまでガスタービンを運転停止する必要がある場合がある。
【先行技術文献】
【特許文献】
【０００５】
【特許文献１】米国特許第８,１８６,１５２号明細書
【発明の概要】
【０００６】
本開示の第１の態様は、ガスタービンシステムの排気ガス流の温度を下げるためのシステムを提供し、該システムは、ガスタービンシステムの圧縮機構成要素と、ガスタービンシステムの回転シャフトに取り付けるための空気流発生システムであって、空気流発生システム及び圧縮機構成要素が、吸気セクションを通して過剰空気流を引き入れる、空気流発生システムと、ガスタービンシステムにより生成された排気ガス流を受け入れるための混合領域と、空気流発生システム及び圧縮機構成要素により発生した過剰空気流の少なくとも一部を抽出してバイパス空気を提供するための、及びバイパス空気を混合領域内に分流して排気ガス流の温度を下げるための、空気抽出システムと、霧化流体を混合領域に注入して前記排気ガス流の温度を下げるための、流体注入システムと、を含む。
【０００７】
本開示の第２の態様は、発電システムを提供し、該発電システムは、圧縮機構成要素、燃焼器構成要素及びタービン構成要素を含むガスタービンシステムであって、ガスタービンシステムの圧縮機構成要素が、少なくとも１つの過大圧縮機段を含む、ガスタービンシステムと、タービン構成要素により駆動されるシャフトと、ガスタービンシステムの上流でシャフトに結合したファンであって、ファン及び圧縮機構成要素の少なくとも１つの過大圧縮機段が、吸気セクションを通して過剰空気流を引き入れる、ファンと、ガスタービンシステムにより生成された排気ガス流を受け入れるための混合領域と、ファン及び圧縮機構成要素の少なくとも１つの過大圧縮機段により発生した過剰空気流の少なくとも一部を抽出してバイパス空気を提供するための、及びバイパス空気を前記混合領域内に分流して排気ガス流の温度を下げるための、空気抽出システムと、霧化流体を混合領域に注入して排気ガス流の温度を下げるための流体注入システムと、温度が下がった排気ガス流を処理するための排気処理システムと、を含む。
【０００８】
本開示の第３の態様は、発電システムを提供し、該発電システムは、圧縮機構成要素、燃焼器構成要素及びタービン構成要素を含むガスタービンシステムであって、ガスタービンシステムの圧縮機構成要素が、少なくとも１つの過大圧縮機段を含む、ガスタービンシステムと、タービン構成要素により駆動されるシャフトと、電気を発生させるためにシャフトに結合した発電機と、ガスタービンシステムの上流でシャフトに結合したファンであって、ファン及び圧縮機構成要素の少なくとも１つの過大圧縮機段が、吸気セクションを通して過剰空気流を引き入れる、ファンと、ガスタービンシステムにより生成された排気ガス流を受け入れるための混合領域と、ファン及び圧縮機構成要素の少なくとも１つの過大圧縮機段により発生した過剰空気流の少なくとも一部を抽出してバイパス空気を提供するため、及びバイパス空気を前記混合領域内に分流して排気ガス流の温度を下げるための、空気抽出システムと、霧化流体を混合領域に注入して排気ガス流の温度を下げるための、流体注入システムと、温度が下がった排気ガス流を処理するための排気処理システムと、を含む。
【０００９】
本開示の例示的な態様は、本明細書に記載した課題及び／又は論じていない他の課題を解決するように設計されている。
【００１０】
本開示のこれら及び他の特徴は、本発明の種々の態様を表した添付図面を参照しながら本発明の種々の態様に関する以下の詳細な説明から容易に理解されるであろう。
【図面の簡単な説明】
【００１１】
【図１】実施形態による単純サイクルガスタービン発電システムの概略図。
【図２】実施形態による図１のガスタービン発電システムの一部の拡大図。
【図３】実施形態による単純サイクルガスタービン発電システムの概略図。
【図４】実施形態による図３のガスタービン発電システムの一部の拡大図。
【図５】図３の線Ａ−Ａに沿ったガスタービンシステムのバイパス・エンクロージャ及び圧縮機要素の例示的な断面図。
【図６】図４の線Ｂ−Ｂに沿ったガスタービンシステムのバイパス・エンクロージャ及び圧縮機要素の例示的な断面図。
【図７】実施形態による、ガスタービンシステムの種々の負荷百分率における、混合領域に入るバイパス空気流と、排気ガス流の温度との間の例示的な関係を表すグラフ。
【図８】実施形態による、ガスタービンシステムの種々の負荷百分率における、水流と、排気ガス流の温度との例示的な関係を示すグラフ。
【図９】実施形態による単純サイクルガスタービン発電システムの概略図。
【発明を実施するための形態】
【００１２】
各図面は、必ずしも縮尺通りではない点に留意されたい。当該図面は、本発明の典型的な態様のみを描くことを意図しており、従って、本発明の範囲を限定するものとみなすべきではない。図面では、同じ参照符号は、複数の図面にわたり同じ要素を示している。
【００１３】
上述のように、本開示は、一般に発電システムに関し、より具体的には、発電システムの排気ガスを冷却するためのシステム及び方法に関する。
【００１４】
図１及び図３は、ガスタービンシステム１２及び排気処理システム１４を含むターボ機械システム（例えば単純サイクルガスタービン発電システム１０）のブロック図を示す。ガスタービンシステム１２は、天然ガス及び／又は水素リッチ合成ガスなどの液体又は気体燃料を燃焼させて高温燃焼ガスを発生させ、ガスタービンシステム１２を駆動することができる。
【００１５】
ガスタービンシステム１２は、吸気セクション１６、圧縮機構成要素１８、燃焼器構成要素２０、及びタービン構成要素２２を含む。タービン構成要素２２は、シャフト２４を介して圧縮機構成要素１８に駆動結合する。作動時、空気（例えば周囲空気）は、吸気セクション１６を通ってガスタービンシステム１２に入り（矢印２６で示される）、圧縮機構成要素１８内で加圧される。圧縮機構成要素１８は、シャフト２４に結合した複数の圧縮機ブレードを含む少なくとも１つの段を含む。シャフト２４の回転が、対応する圧縮機ブレードの回転を生じさせ、それにより空気が吸気セクション１６を通って圧縮機構成要素１８内に引き込まれ、空気は燃焼器構成要素２０に入る前に圧縮される。
【００１６】
燃焼器構成要素２０は、１又は２以上の燃焼器を含むことができる。実施形態において、複数の燃焼器が、シャフト２４の周りに概ね円形又は環状配置で複数の周方向位置で燃焼器構成要素２０内に配置される。圧縮空気が圧縮機構成要素１８から出て燃焼器構成要素２０に入ると、圧縮空気は、燃焼器内で燃焼のために燃料と混合される。例えば、燃焼器は、燃焼、エミッション制御、燃料消費、出力などに適した比率で燃料空気混合気を燃焼器内に注入するように構成された、１又は２以上の燃料ノズルを含むことができる。燃料空気混合気の燃焼は、高温加圧排気ガスを発生させ、これは次にタービン構成要素２２の１又は２以上のタービン段（各々が複数のタービンブレードを有する）を駆動するために利用される。
【００１７】
作動時、タービン構成要素２２に流入して通過する燃焼ガスは、タービンブレードに当たり及びタービンブレード間を流れることにより、タービンブレードを駆動させ、それによりシャフト２４を回転させる。タービン構成要素２２内で、燃焼ガスのエネルギーは、仕事に変換され、その一部は回転シャフト２４を通じて圧縮機構成要素１８を駆動するために用いられ、残りは、負荷、例えば、限定ではないが電気を発生させるための発電機２８及び／又は他のタービンなどを駆動するための有用な仕事に利用される。
【００１８】
タービン構成要素２２を通って流れる燃焼ガスは、排気ガス流３２としてタービン構成要素２２の下流側端部３０を出る。排気ガス流３２は、排気処理システム１４に向かって下流方向３４に連続して流れることができる。タービン構成要素２２の下流側端部３０は、混合領域３３を介して排気処理システム１４のＣＯ除去システム（例えば、ＣＯ触媒３６を含む）及びＳＣＲシステム（例えば、ＳＣＲ触媒３８を含む）に流体結合することができる。上述のように、燃焼プロセスの結果として、排気ガス流３２は、窒素酸化物（ＮＯx）、硫黄酸化物（ＳＯx）、炭素酸化物（ＣＯx）、及び未燃焼炭化水素などの特定の副産物を含む場合がある。特定の規制要件のため、排気処理システム１４を使用して、このような副産物の濃度を大気に放出する前に低減するか又は実質的に最小化することができる。
【００１９】
排気ガス流３２内のＮＯxを除去する又は量を低減するための１つの技術は、選択的触媒還元（ＳＣＲ）プロセスを用いることによる。例えば、排気ガス流３２からＮＯxを除去するためのＳＣＲプロセスにおいて、アンモニア（ＮＨ3）又は他の適切な還元剤を排気ガス流３２に注入することができる。アンモニアは、ＮＯxと反応して窒素（Ｎ2）及び水（Ｈ2Ｏ）を生成する。
【００２０】
図１及び図３に示すように、アンモニア蒸発システム４０及びアンモニア注入グリッド４２を用いて、アンモニア溶液（例えばタンク４６に貯蔵される）を気化させてＳＣＲ触媒３８の上流で排気ガス流３２に注入することができる。アンモニア注入グリッド４２は、例えば気化したアンモニアを排気ガス流３２に注入するための開口部／ノズルを有する管網を含むことができる。理解されるように、排気ガス流３２のアンモニア及びＮＯxは、ＳＣＲ触媒３８を通過する際に反応して窒素（Ｎ2）及び水（Ｈ2Ｏ）を生成し、これにより排気ガス流３２からＮＯxが除去される。結果として得られた排出物は、ガスタービンシステム１２のスタック４４を通じて大気中に放出することができる。
【００２１】
アンモニア蒸発システム４０は、例えば、ブロアシステム４８と、１又は２以上のヒータ５０（例えば電気ヒータ）と、アンモニア注入グリッド４２を介して排気ガス流３２に注入される気化アンモニアを供給するためのアンモニア気化器５２とをさらに含むことができる。アンモニアは、ポンプシステム５４を用いてタンク４６からアンモニア気化器５２へとポンプ輸送することができる。個々のブロア／ポンプが故障した場合にアンモニア蒸発システム４０の連続動作を保証するために、ブロアシステム４８は冗長ブロアを含むことができ、さらにポンプシステム５４は冗長ポンプを含むことができる。
【００２２】
ＳＣＲプロセスの有効性は、一部には、処理される排気ガス流３２の温度に依存する。ガスタービンシステム１２から発生する排気ガス流３２の温度は、約１１００°Ｆを上回る場合が多い。しかしながら、ＳＣＲ触媒３８は、典型的には、約９００°Ｆ未満の温度で稼働させる必要がある。
【００２３】
実施形態によれば、ファン５６及び「過大（ｏｖｅｒｓｉｚｅｄ）」圧縮機構成要素１８を用いて、排気ガス流３２の温度をＳＣＲ触媒３８に適したレベルまで下げるための冷却空気をもたらすことができる。さらに、流体注入システム２００を用いて、冷却流体（例えば水）を排気ガス流３２に注入して排気ガス流３２の温度を下げることができる。
【００２４】
図１に示すように、ファン５６をガスタービンシステム１２の上流でガスタービンシステム１２のシャフト２４に結合して、吸気セクション１６を通って引き込まれる冷却空気（例えば、周囲空気）を供給することができ、この冷却空気を排気ガス流３２の温度を下げるために用いることができる。ファン５６は、ガスタービンシステム１２のシャフト２４に固定的に取り付ける（例えば、ボルト止め、溶接、等）ことができる。この点で、ファン５６は、シャフト２４と同じ回転速度で回転するように構成される。他の実施形態において、クラッチ機構を用いて、ファン５６をガスタービンシステム１２のシャフト２４に解除可能に結合することができる。これによりファン５６を必要に応じてシャフト２４から選択的に切り離すことが可能になる。クラッチ機構が係合する場合、ファン５６はシャフト２４に結合し、シャフト２４と同じ回転速度で回転するように構成される。クラッチ結合／分離コマンドを、空気流制御装置１００を介してクラッチ機構に与えることができる。可変速度駆動システムを用いてファン５６をシャフト２４に結合させて、ファン５６がシャフト２４とは異なる速度で回転することを可能にすることもできる。
【００２５】
圧縮機構成要素１８は、流量容量を有しており、その流量容量に基づいて吸気セクション１６から空気流（周囲空気）を引き入れるように構成される。ファンと圧縮機構成要素１８とを組合せた流量容量は、燃焼器構成要素２０及びタービン構成要素２２の少なくとも一方の流量容量よりも約１０％から約４０％大きくすることができ、過剰の空気流を生じる。すなわち、燃焼器構成要素２０及びタービン構成要素２２の少なくとも一方がファン５６と圧縮機構成要素１８との組合せで供給される空気の全てを利用することはできず、過剰の空気流が作り出される。この過剰空気流を用いて、ガスタービンシステム１２の排気ガス流３２を冷却することができる。実施形態によれば、過剰空気流の少なくとも一部を供給するために、圧縮機構成要素１８の圧縮機段５８のうちの少なくとも１つを「過大」にすることができる。後述するように、１０％から４０％の更なる空気流を、排気ガス流３２の冷却のために、及び所望であればガスタービンシステム１２の過給のために用いることができる。単一の過大圧縮機段５８の使用を以下で説明するが、これは限定を意図したものではなく、他の実施形態においては更なる過大圧縮機段５８を用いることができる。一般に、空気流の増大百分率は変更することができ、ガスタービンシステム１２に対する負荷、ガスタービンシステム１２に引き込まれる空気の温度、ＳＣＲ触媒３８における排気ガス流３２の温度、等を含む幾つかの因子に基づいて選択的に制御することができる。
【００２６】
図２に示すように、複数の入口ガイドベーン６２を含むガイドベーン組立体６０を用いて、ファン５６及び圧縮機構成要素１８が利用できる空気量を制御することができる。各入口ガイドベーン６２は、独立したアクチュエータ６４により選択的に制御する（例えば回転させる）ことができる。種々の実施形態によるアクチュエータ６４を図２に模式的に示しているが、任意の既知のアクチュエータを利用することができる。例えば、アクチュエータ６４は、電気機械式モータ、又は他の任意の型式の適切なアクチュエータを含むことができる。
【００２７】
アクチュエータ６４は、流れ制御装置１００からのコマンドに応答して独立に及び／又は集合的に制御して、入口ガイドベーン６２の位置決めを選択的に変更することができる。すなわち、入口ガイドベーン６２は、アクチュエータ６４によりピボット軸の周りで選択的に回転させることができる。実施形態において、各入口ガイドベーン６２は、他のあらゆる入口ガイドベーン６２から独立して個々にピボット運動することができる。他の実施形態において、入口ガイドベーン６２のグループが、他の入口ガイドベーン６２のグループとは独立してピボット運動することができる（すなわち、１つのグループ内の全ての入口ガイドベーン６２が一緒に同じ量だけ回転をするように、２つ以上がグループでピボット運動する）。入口ガイドベーン６２の各々に関する位置情報（例えば、電気機械式センサ又は同種のものにより検知される）を流れ制御装置１００に提供することができる。
【００２８】
ファン５６及び圧縮機構成要素１８の過大圧縮機段５８により供給される増大した空気流は、圧縮機構成要素１８における空気圧を高めることができる。例えば、空気流がファン５６及び圧縮機構成要素１８の過大圧縮機段５８の動作により約１０％から約４０％増大した場合、約５インチ水柱から約１５インチ水柱の対応する圧力上昇を達成することができる。この圧力上昇を用いて、圧力損失を克服すること、及び下流の排気処理システム１４における冷却空気と排気ガス流３２との適正な混合（後述する）を促進することができる。圧力上昇を用いて、ガスタービンシステム１２を過給することもできる。
【００２９】
図１及び図２を参照すると、空気抽出システム７０を使用して、ファン５６及び圧縮機構成要素１８の過大圧縮機段５８にから供給される追加空気流の少なくとも一部を抽出することができる。空気流７２は、例えば１又は２以上の抽出ダクト７４（図２）を用いて抽出することができる。抽出された空気、又は「バイパス空気」（ＢＡ）は、ガスタービンシステム１２には入らず、代わりに矢印ＢＡで示されるようにバイパスダクト７６を通って混合領域３３に導かれ、そこでバイパス空気を用いて排気ガス流３２を冷却することができる。残りの空気（すなわち、追加空気流のうち抽出ダクト７４を介して抽出されなかった部分）は、ガスタービンシステム１２の圧縮機構成要素１８に入り、通常の方式でガスタービンシステム１２を通って流れる。残りの空気流がガスタービンシステム１２の流量容量よりも大きい場合には、ガスタービンシステム１２の過給を生じさせることができ、ガスタービンシステム１２の効率及び出力が高くなる。
【００３０】
バイパス空気は、１又は２以上のバイパスダクト７６を通してタービン構成要素２２の下流の混合領域３３に向かって送ることができる。バイパス空気は、バイパスダクト７６から出て、バイパス空気注入グリッド１１０（図１）を通って混合領域３３に入り、そこでバイパス空気（例えば、周囲空気）は、排気ガス流３２と混合して、これをＳＣＲ触媒３８との使用に適した温度まで冷却する。実施形態において、ガスタービンシステム１２から発生する排気ガス流３２の温度は、混合領域３３でバイパス空気により約１１００°Ｆから約９００°Ｆ未満の低い温度まで冷却される。バイパス空気注入グリッド１１０は、例えば、バイパス空気を混合領域３３に導く（例えば注入する）ための複数のノズル１１２又は同種のものを含むことができる。バイパス空気注入グリッド１１０のノズル１１２は、混合領域３３内でのバイパス空気と排気ガス流３２との混合を最大化するような方式で混合領域３３の周りに分散配置することができる。バイパス空気注入グリッド１１０のノズル１１２は、所定位置に固定すること、及び／又は混合領域３３へのバイパス空気の注入方向を選択的に調節するために可動にすることもできる。
【００３１】
補助混合システム７８（図１）は、混合領域３３の内部に配置して混合プロセスを強化することができる。補助混合システム７８は、例えば、静止型混合器、バッフル、及び／又は同種のものを含むことができる。また、ＣＯ触媒３６は、背圧（例えば、タービン構成要素２２に向かう戻り方向の）をかけることにより、混合プロセスの改善を補助することができる。
【００３２】
図２に示すように、各抽出ダクト７４に入る空気流７２は、例えば、ダンパ８２、ガイドベーン、又は空気流を選択的に制限することができるその他の装置を含む流れ制限システム８０を用いて、選択的に及び／又は独立的に制御することができる。各ダンパ８２は、独立したアクチュエータ８４により選択的に制御する（例えば回転させる）ことができる。アクチュエータ８４は、電気機械式モータ、又は他のいずれかの型式の適切なアクチュエータを含むことができる。ダンパ８２を、流れ制御装置１００からのコマンドに応答して独立的に及び／又は集合的に制御して、所望量のバイパス空気が混合領域３３の中に導かれるようにダンパ８２の位置決めを選択的に変更することができる。ダンパ８２の各々に関する位置情報（例えば、電気機械式センサ又は同種のものにより検知される）を流れ制御装置１００に提供することができる。
【００３３】
バイパス空気は、例えば１又は２以上の空気出口９０内に配置された１又は２以上のダンパ８８（又は空気流を選択的に制限することができる他の装置、例えばガイドベーン）を含む空気放出システム８６を用いて、１又は２以上のバイパスダクト７６から選択的に放出することができる。空気出口９０内のダンパ８８の位置は、独立したアクチュエータ９２により選択的に制御する（例えば回転させる）ことができる。アクチュエータ９２は、電気機械式モータ、又は他のいずれかの型式の適切なアクチュエータを含むことができる。各ダンパ８８を、流れ制御装置１００からのコマンドに応答して制御して、所望量のバイパス空気がバイパスダクト７６から放出されることができるようにダンパ８８の位置決めを選択的に変更することができる。各ダンパ８８に関する位置情報（例えば、電気機械式センサ又は同種のものにより検知される）を流れ制御装置１００に提供することができる。更なる空気流制御は、流れ制御装置１００からのコマンドにより制御される１又は２以上の絞り弁９４を通じて１又は２以上のバイパスダクト７６からバイパス空気を放出することによりもたらすことができる。
【００３４】
様々な動作条件下でＳＣＲ触媒３８における適切な温度を維持するために、流れ制御装置１００を用いて、バイパス空気として分流されてバイパスダクト７６を通って混合領域３３に入る、ファン５６及び圧縮機構成要素１８の過大圧縮機段５８から発生した空気の量を、ガスタービンシステム１２に入る（及び排気ガス流３２として出る）空気の量に対して調節することができる。ガスタービンシステム１２の様々な負荷百分率における、混合領域３３に入るバイパス空気流と、排気ガス流３２の温度との間の例示的な関係を図７に示す。この例において、図７は、１）ガスタービンシステム１２の様々な負荷百分率におけるガスタービンシステム１２の排気ガス流３２の温度変動と、２）対応する、ガスタービンシステム１２の様々な負荷百分率における、ＳＣＲ触媒３８の温度を適切なレベル（例えば９００°Ｆ）に維持するために必要なバイパス空気流の、排気ガス流３２に対する百分率で表した変動と、を示す。図７に表されるように、ＳＣＲ触媒３８における温度を調節するために、排気ガス流３２の温度が変化する場合に、バイパスダクト７６を通って混合領域３３に流入するバイパス空気の流量を変更（例えば、流れ制御装置１００の制御下で）することができる。
【００３５】
流れ制御装置１００は、ガスタービン発電システム１０の動作に関連するデータ１０２を受け取ることができる。このようなデータは、例えば、排気ガス流３２が混合領域３３に入る際の温度、混合領域３３内で混合／冷却が生じた後のＳＣＲ触媒３８における排気ガス流３２の温度、ファン５６及びガスタービンシステム１２の圧縮機構成要素１８により吸気セクション１６に引き込まれる空気の温度、及びガスタービン発電システム１０の種々の位置において得られる他の温度データを含むことができる。データ１０２は、例えば、吸気セクション１６内で、入口ガイドベーン６２で、ファン５６で、過大圧縮機段５８及び／又は圧縮機構成要素１８のその他の段の入口で、抽出ダクト７４内で、バイパスダクト７６内で、タービン構成要素２２の下流側端部３０で、及びガスタービン発電システム１０内の種々の他の位置で得られる、空気流及び圧力のデータをさらに含むことができる。負荷データ、燃料消費データ、及びガスタービンシステム１２の動作に関連する他の情報を流れ制御装置１００に提供することもできる。流れ制御装置１００は、入口ガイドベーン６２、ダンパ８２及び８８、弁９４、等に関連付けられる位置情報をさらに受け取ることができる。このようなデータの入手方法（例えば、適切なセンサ、フィードバックデータ等を用いる）は当業者には明らかであり、このようなデータの入手に関する更なる詳細は本明細書では示さない。
【００３６】
受け取ったデータ１０２に基づいて、流れ制御装置１００は、バイパスダクト７６を通って混合領域３３に流入するバイパス空気の量を必要に応じて変更して、ＳＣＲ触媒３８における温度を適切なレベルに維持するように構成される。これは、例えば、ファン５６とガスタービンシステム１２の圧縮機構成要素１８との組合せ作用により吸気セクション１６へ引き込まれる空気流（この流れは、例えば、１又は２以上の入口ガイドベーン６２の位置を調節することにより及び／又はシャフト２４の回転速度を上げることにより制御することができる）、抽出ダクト７４へ流入する空気流７２（この流れは、例えば、１又は２以上のダンパ８２の位置を調節することにより制御することができる）、及び抽出ダクト７４からバイパスダクト７６を通って混合領域３３に流入するバイパス空気流（この流れは、例えば、１又は２以上のダンパ８８の位置及び／又は絞り弁９４の動作状態を調節することにより制御することができる）のうち、少なくとも１つを変更することにより達成することができる。
【００３７】
流れ制御装置１００は、バイパスダクト７６を通って混合領域３３に流入するバイパス空気の量を例えばデータ１０２及び／又は操作者からの命令を用いて制御するように構成されたプログラムコードを実行する少なくとも１つのプロセッサを有する、コンピュータシステムを含むことができる。流れ制御装置１００により生成されるコマンドを用いて、ガスタービン発電システム１０の種々の構成要素（例えば、アクチュエータ６４、８４、９２、弁９４及び／又は同種のもの）の動作を制御することができる。例えば、流れ制御装置１００により生成されるコマンドを用いて、アクチュエータ６４、８４及び９２の動作を制御して、入口ガイドベーン６２、ダンパ８２及びダンパ８８の回転位置をそれぞれ制御することができる。流れ制御装置１００により生成されるコマンドを用いて、ガスタービン発電システム１０のその他の制御設定を有効にすることもできる。
【００３８】
図３及び図４に示すように、外部バイパスダクト７６を用いる代わりに、ガスタービンシステム１２をバイパス・エンクロージャ１１１で囲むことができる。バイパス・エンクロージャ１１１は、吸気セクション１６から混合領域３３に延びてこれを流体的に結合する。バイパス・エンクロージャ１１１は、任意の適切な構成を有することができる。例えば、バイパス・エンクロージャ１１１は、図３の線Ａ−Ａに沿った断面である図５に示すような環状構成を有することができる。バイパス・エンクロージャ１１１は、ガスタービンシステム１２の周りに空気通路１１３を形成し、これを通って、ガスタービンシステム１２の排気ガス流３２を冷却するための冷却バイパス空気（ＢＡ）を供給することができる。
【００３９】
空気抽出システム１１４を設けて、ファン５６及び圧縮機構成要素１８の過大圧縮機段５８により供給される追加空気流の少なくとも一部を抽出し、抽出された空気をバイパス・エンクロージャ１１１とガスタービンシステム１２との間に形成された空気通路１１３に導くことができる。空気抽出システム１１４は、例えば、入口ガイドベーン、ステータ、又は空気流を空気通路１１３に選択的に導くための他の任意の適切なシステムを含むことができる。以下の説明において、空気抽出システム１１４は、限定ではないが、入口ガイドベーンを含む。図４の線Ｂ−Ｂに沿った断面である図６に示すように、空気抽出システム１１４は、バイパス・エンクロージャ１１１とガスタービンシステム１２の圧縮機構成要素１８との間に形成された空気通路１１３の入口を完全に囲んで全体に延びることができる。
【００４０】
図４に示すように、空気抽出システム１１４は、バイパス・エンクロージャ１１１とガスタービンシステム１２との間に形成された空気通路１１３内に導かれる空気の量を制御するための複数の入口ガイドベーン１１６を含むことができる。各入口ガイドベーン１１６は、独立したアクチュエータ１１８により選択的にかつ独立して制御する（例えば回転させる）ことができる。アクチュエータ１１８は、図４では模式的に示されているが、任意の既知のアクチュエータを利用することができる。例えば、アクチュエータ１１８は、電気機械式モータ、又は他の任意の型式の適切なアクチュエータを含むことができる。
【００４１】
空気抽出システム１１４のアクチュエータ１１８は、流れ制御装置１００からのコマンドに応答して独立的に及び／又は集合的に制御して、入口ガイドベーン１１６の位置決めを選択的に変更することができる。すなわち、入口ガイドベーン１１６は、アクチュエータ１１８によりピボット軸の周りで選択的に回転させることができる。実施形態において、各入口ガイドベーン１１６は、他のあらゆる入口ガイドベーン１１６から独立して個々にピボット運動することができる。他の実施形態において、入口ガイドベーン１１６のグループが、他の入口ガイドベーン１１６のグループとは独立してピボット運動することができる（すなわち、１つのグループ内の全ての入口ガイドベーン１１６が一緒に同じ量だけ回転をするように、２つ以上がグループでピボット運動する）。入口ガイドベーン１１６の各々に関する位置情報（例えば、電気機械式センサ又は同種のものにより検知される）を流れ制御装置１００に提供することができる。
【００４２】
バイパス空気は、ガスタービンシステム１２には入らず、代わりに矢印ＢＡで示されるように空気通路１１３を通って混合領域３３に導かれ、そこでバイパス空気を用いて排気ガス流３２を冷却することができる。残りの空気（すなわち、ファン５６及び過大圧縮機段５８によって発生した追加空気流のうち空気抽出システム１１４を介して抽出されなかった部分）は、ガスタービンシステム１２の圧縮機構成要素１８に入り、通常の方式でガスタービンシステム１２を通って流れる。残りの空気流がガスタービンシステム１２の流量容量よりも大きい場合には、ガスタービンシステム１２の過給を生じさせることができ、ガスタービンシステム１２の効率及び出力が高くなる。
【００４３】
バイパス空気は、空気通路１１３を通ってタービン構成要素２２の下流の混合領域３３に向かって流れることができる。実施形態において、バイパス空気は、空気通路１１３を出て、所定の角度で混合領域３３内の排気ガス流３２に向かってその中に入り、混合が強化される。混合領域３３において、バイパス空気（例えば周囲空気）は排気ガス流３２と混合して、これをＳＣＲ触媒３８と共に使用するのに適した温度まで冷却する。実施形態において、ガスタービンシステム１２から発生した排気ガス流３２の温度は、混合領域３３でバイパス空気によって約１１００°Ｆから約９００°Ｆ未満の温度まで冷却される。
【００４４】
図３及び図４に示すように、バイパス・エンクロージャ１１１の遠位端１２０を混合領域３３に向かって内向きに湾曲させて、バイパス空気を所定の角度で混合領域３３の排気ガス流３２に向けてその中に入れることができる。バイパス空気と排気ガス流３２との交差する流れは、混合を促進することができ、それにより排気ガス流３２の冷却が強化される。流れ方向付けシステム１２２を設けて、バイパス空気を所定の角度で排気ガス流３２に向けてその中に入れることもできる。このような流れ方向付けシステム１２２は、例えば、出口ガイドベーン、ステータ、ノズル、又はバイパス空気流を混合領域３３の中に選択的に導くための他の任意の適切なシステムを含むことができる。
【００４５】
例示的な流れ方向付けシステム１２２を図４に示す。この例において、流れ方向付けシステム１２２は、複数の出口ガイドベーン１２４を含む。各出口ガイドベーン１２４は、独立したアクチュエータ１２６により選択的に制御する（例えば回転させる）ことができる。アクチュエータ１２６は、図４に模式的に示されているが、任意の既知のアクチュエータを利用することができる。例えば、アクチュエータ１２６は、電気機械式モータ、又は他の任意の型式の適切なアクチュエータを含むことができる。実施形態において、流れ方向付けシステム１２２は、バイパス・エンクロージャ１１１とガスタービンシステム１２のタービン構成要素２２との間に形成された空気通路１１３の出口を完全に囲んで延びることができる。
【００４６】
補助混合システム７８（図１）を混合領域３３に配置して混合プロセスを強化することができる。補助混合システム７８は、例えば、静止型混合器、バッフル、及び／又は同種のものを含むことができる。また、ＣＯ触媒３６は、背圧（例えば、タービン構成要素２２に向かう戻り方向の）をかけることにより、混合プロセスの改善を補助することができる。
【００４７】
図４に示すように、バイパス空気は、例えば１又は２以上の空気出口１３４内に配置された１又は２以上のダンパ１３２（又は空気流を選択的に制限することができる他の装置、例えばガイドベーン）を含む空気放出システム１３０を用いて、バイパス・エンクロージャ１１１から選択的に放出することができる。空気出口１３４内のダンパ１３２の位置は、独立したアクチュエータ１３６により選択的に制御する（例えば回転させる）ことができる。アクチュエータ１３６は、電気機械式モータ、又は他のいずれかの型式の適切なアクチュエータを含むことができる。各ダンパ１３２は、流れ制御装置１００からのコマンドに応答して制御して、所望量のバイパス空気がバイパス・エンクロージャ１１１から放出されることができるようにダンパ１３２の位置決めを選択的に変更することができる。各ダンパ１３２に関する位置情報（例えば、電気機械式センサ又は同種のものにより検知される）を流れ制御装置１００に提供することができる。更なる空気流制御は、流れ制御装置１００からのコマンドにより制御される１又は２以上の絞り弁１４０（図４）を通じてバイパス・エンクロージャ１１１からバイパス空気を放出することによりもたらすことができる。
【００４８】
様々な動作条件下でＳＣＲ触媒３８での適切な温度を維持するために、流れ制御装置１００を用いて、バイパス空気として分流されてバイパス・エンクロージャ１１１を通って混合領域３３に入る、ファン５６及び圧縮機構成要素１８の過大圧縮機段５８から発生した空気の量を、ガスタービンシステム１２に入る（及び排気ガス流３２として出る）空気の量に対して調節することができる。ＳＣＲ触媒３８における温度を調節するために、排気ガス流３２の温度が変化する場合に、空気通路１１３を通って混合領域３３に流入するバイパス空気の流量を変更することができる（例えば、流れ制御装置１００の制御下で）。
【００４９】
図４に模式的に示すように、バイパス・エンクロージャ１１１に、１又は２以上のアクセスドア１５０を設けることができる。アクセスドア１５０は、バイパス・エンクロージャ１１１を通ってガスタービンシステム１２の種々の構成要素へのアクセスを可能にする（例えば、保守、修理等のため）。
【００５０】
上述のように、流れ制御装置１００は、ガスタービン発電システム１０及びその構成要素の動作に関連する種々のデータ１０２を受け取ることができる。受け取ったデータ１０２に基づいて、流れ制御装置１００は、空気通路１１３を通って混合領域３３に流入するバイパス空気の量を必要に応じて変更して、ＳＣＲ触媒３８における温度を調節するように構成される。これは、例えば、ファン５６とガスタービンシステム１２の圧縮機構成要素１８とにより吸気セクション１６へ引き込まれる空気流、空気抽出システム１１４を介して空気通路１１３の中へ導かれる空気流（この流れは、例えば、１又は２以上の入口ガイドベーン１１６の位置を調節することにより制御することができる）、及び空気通路１１３を通って混合領域３３に流入するバイパス空気流（この流れは、例えば、１又は２以上のダンパ１３２の位置及び／又は絞り弁１４０の動作状態を調節することにより制御することができる）のうち、少なくとも１つを変更することにより達成することができる。
【００５１】
実施形態において、図１に示すように、流体注入システム２００は、排気ガス流３２に水（Ｈ2Ｏ）を注入するように構成することができる。第１のポンプ２０２を用いて、供給水を浄化システム２０４に送給することができる。浄化後、水は、第２のポンプ２０６により流体注入装置２０８に導くことができる。ここで詳述される冷却流体は水であるが、本明細書で開示される実施形態のいずれの場合でも他の適切な流体を用いることができる。
【００５２】
流体注入装置２０８は、水を霧化するための及び霧化水２１２を排気ガス流３２に導くための、複数のノズル２１０を含むことができる。図１に示すように、流体注入装置２０８のノズル２１０は、混合領域３３内での混合を強化するために、ガスタービンシステム１２のタービン構成要素２２に向けて上流に方向付けることができる。他の実施形態において、流体注入装置２０８のノズル２１０は、下流方向３４（例えば、排気ガス流３２と同じ方向）に方向付けることができ、又は上流及び下流の両方向に方向付けることができる。いずれの場合でも、流体注入装置２０８のノズル２１０は、混合領域３３内に適正な混合及び温度の均一性をもたらすように配置することができる。例えば、流体注入装置２０８のノズル２１０は、グリッド形式で均一に配置することができる。
【００５３】
混合領域３３において、霧化水２１２は、排気ガス流３２と混合して、これをＳＣＲ触媒３８との使用に適した温度まで冷却することを補助する。ガスタービンシステム１２から発生する排気ガス流３２の温度は、霧化水２１２、及びバイパス空気注入グリッド１１０を介して混合領域３３に流入するバイパス空気により、約１１００°Ｆから約９００°Ｆ未満まで冷却される。流れ制御装置１００は、排気ガス流３２に注入される水の量を制御して、ＳＣＲ触媒３８の温度を適切なレベル（例えば９００°Ｆ）に維持するように構成することができる。
【００５４】
図８は、ガスタービンシステム１２の様々な負荷百分率における、ガスタービンシステム１２の排気ガス流３２の温度と混合領域３３に入る霧化水２１２の流れとの例示的な関係を示した図を示す。図８に表されるように、ＳＣＲ触媒３８における排気ガス流３２の温度の調節を補助するために、排気ガス流３２の温度が変化する場合に、流体注入装置２０８を介して排気ガス流３２に注入される霧化水２１２の量を変更することができる（例えば、流れ制御装置１００の制御下で）。
【００５５】
さらに図１に示すように、霧化水２１２は、流体注入システム２００により、ＣＯ触媒３６の下流かつアンモニア注入グリッド４２及びＳＣＲ触媒３８の上流で、排気ガス流３２に注入することができる。流体注入装置２２０は、水を霧化するための及び霧化水２２４を排気ガス流３２に導くための、複数のノズル２２２を含むことができる。図１に示すように、流体注入装置２２０のノズル２２２は、アンモニア注入グリッド４２に向けて下流に方向付けることができる。他の実施形態において、流体注入装置２２０のノズル２２２は、上流方向（例えば、排気ガス流３２に対向する）に方向付けることができる。いずれの場合でも、流体注入装置２２０のノズル２２２は、ＣＯ触媒３６とＳＣＲ触媒３８との間の混合領域２３０で適正な混合及び温度の均一性をもたらすように配置することができる。
【００５６】
実施形態において、霧化水２２４は、混合領域２３０で、排気ガス流３２と混合して、これをＳＣＲ触媒３８との使用に適した温度まで冷却することを補助する。ガスタービンシステム１２から発生する排気ガス流３２の温度は、霧化水２２４、霧化水２１２及び／又はバイパス空気注入グリッド１１０を通って混合領域３３に流入するバイパス空気により、約１１００°Ｆから約９００°Ｆ未満まで冷却される。流れ制御装置１００を用いて、排気ガス流３２に注入される霧化水２２４の量を制御することができる。次に、排気ガス流３２がＳＣＲ触媒３８と相互作用する前に、気化アンモニアは、アンモニア注入グリッド４２を介して排気ガス流３２に注入することができる。
【００５７】
流れ制御装置１００を用いて、例えば排気ガス流３２がＳＣＲ触媒３８に向かって下流に移動する際の温度に応じて、霧化水２１２及び／又は霧化水２２４の注入を選択的に制御することができる。流れ制御装置１００は、弁２３２、２３４を選択的に開／閉して、流体注入装置２０８及び流体注入装置２２０への水の流れを調節することができる。
【００５８】
図１の矢印２４０に示すように、アンモニアは、流体注入装置２２０にポンプ輸送されている浄化冷却水に直接添加することができる。これにより、独立したアンモニア蒸発システム及びアンモニア注入グリッド４２の必要性が排除される。この場合、水／アンモニア溶液が流体注入装置２２０のノズル２２２により霧化されて、霧化水／アンモニア２２４の供給がもたらされる。霧化水／アンモニア２２４は、排気ガス流３２に導入される。混合領域２３０において、霧化水／アンモニア２２４は、排気ガス流３２と混合して、これを冷却することを補助する。ガスタービンシステム１２から発生する排気ガス流３２の温度は、霧化水／アンモニア２２４、霧化水２１２、及び／又はバイパス空気注入グリッド１１０を介して混合領域３３に流入するバイパス空気により、約１１００°Ｆから約９００°Ｆ未満まで冷却される。
【００５９】
図９に示す実施形態において、流体注入システム２００を図３に示すシステムと組み合わせて用いて、水を排気ガス流３２に注入することもできる。流体注入システム２００は、図１に示すシステムに関して上述したのと実質的に同じように動作することができる。
【００６０】
流れ制御装置１００を用いて、様々な動作条件下で排気ガス流３２を冷却するために必要な霧化水２１２、２２４又は霧化水／アンモニア２２４の量を調節することができる。上述のデータに加えて、流れ制御装置１００は、水及び／又は水／アンモニア溶液の温度に関するデータを受け取ることができる。受け取ったデータ１０２に基づいて、流れ制御装置１００は、排気ガス流３２を冷却するために混合領域３３及び／又は混合領域２３０に注入される霧化水２１２、２２４及び／又は霧化水／アンモニア２２４の量を必要に応じて変更するように構成される。これは、例えば、流体注入装置２０８、２２０に供給される（例えばポンプ輸送される）水又は水／アンモニア溶液の量を制御することにより達成することができる。
【００６１】
従来の大型外部ブロアシステム及び／又は他の従来の冷却構造体の代わりに、空気流発生システム及び流体注入システム２００を使用することは、多くの利点をもたらす。例えば、冗長外部ブロアシステム及び付随する構成要素（例えば、ブロア、モータ、及び関連の吸気構造、フィルタ、ダクト、等）の必要性が排除される。このことは、ガスタービン発電システム１０の製造及び運用コスト、並びに全体の設置面積を削減する。設置面積は、ファン５６及び過大圧縮機段５８が、外部ブロアシステムと共に用いられる場合が多い独立した専用吸気構造ではなく既存の吸気セクション１６を通じて空気を引き入れるので、さらに削減される。
【００６２】
ファン５６、過大圧縮機段５８、及び流体注入システム２００の使用は、より信頼性の高い効率的なガスタービン発電システム１０を提供する。例えば、混合領域３３の冷却のために用いられるバイパス空気は、ガスタービンシステム１２自体のシャフト２４により引き起こされるので、大型外部ブロアシステムはもはや必要とされない。さらに、ファン５６及び過大圧縮機段５８から発生する空気流の少なくとも一部を用いてガスタービンシステム１２を過給することができる。
【００６３】
ガスタービン発電システム１０の所要動力は、ファン５６及び過大圧縮機段５８がガスタービンシステム１２のシャフト２４に結合されてこれにより駆動されるので、低減される。水をポンプ輸送することは空気を移動／加圧することに比べて一般に所要エネルギーがより少ないので、更なる動力低減が達成される。図１及び図９に示す実施形態のようにアンモニアを水と組み合わせることにより、更なるコスト／エネルギー節約を達成することができる。これは、アンモニア蒸発システム４０の種々の構成要素（例えば、ブロアシステム４８、ヒータ５０、アンモニア気化器５２）の必要性を排除する。
【００６４】
種々の実施形態において、互いに「結合している」と記述された構成要素は、１又は２以上の界面に沿って接合することができる。幾つかの実施形態において、これらの界面は、異なる構成要素間の接合部を含むことができ、他の場合には、これらの界面は、強固に及び／又は一体に形成された相互接続を含むことができる。すなわち、幾つかの場合には、互いに「結合した」構成要素は、同時に形成されて単一の連続部材を定めることができる。しかしながら、他の実施形態において、これらの結合した構成要素は、別個の部材として形成され、その後、既知のプロセス（例えば、締結、超音波溶接、ボンディング）により接合することができる。
【００６５】
ある要素又は層が、別の要素の「上にある」、別の要素に「係合する」、「接続する」又は「結合する」と言及される場合、これは、直接、他の要素の上にある、他の要素に直接係合する、直接接続する又は直接結合する場合もあり、又は介在する要素が存在する場合もある。対照的に、ある要素が他の要素の「直接、上にある」、他の要素に「直接係合する」、「直接接続する」又は「直接結合する」と言及される場合、介在する要素又は層は存在し得ない。要素間の関係を説明する他の語も同様の仕方で解釈すべきである（例えば、「間」と「直接的な間」、「隣接」と「直接的な隣接」等、）。本明細書において用いる場合、「及び／又は」という用語は、１又は２以上の関連する列挙要素のいずれかの及び全ての組合せを含む。
【００６６】
本明細書で使用される用語は、単に特定の実施形態を説明するためのものに過ぎず、本開示を限定するものではない。本明細書で使用される場合、単数形態は、前後関係から明らかに別の意味を示さない限り複数形態も含む。さらに、本明細書内で使用する場合に、用語「備える」及び／又は「備えている」という用語は、そこに述べた特徴部、完全体、ステップ、動作、要素及び／又は構成部品の存在を明示しているが、１又は２以上の他の特徴部、完全体、ステップ、動作、要素、構成部品及び／又はそれらの群の存在又は付加を排除するものではないことは理解されるであろう。
【００６７】
本明細書は、最良の形態を含む実施例を用いて本発明を開示し、また、当業者が、任意の装置又はシステムを作成すること及び使用すること並びに任意の組み込まれた方法を行うことを含めて、本開示を実施することを可能にする。本発明の特許保護される範囲は、請求項によって定義され、当業者であれば想起される他の実施例を含むことができる。このような他の実施例は、請求項の文言と差違のない構造要素を有する場合、あるいは、請求項の文言と僅かな差違を有する均等な構造要素を含む場合には、本発明の範囲内にあるものとする。
【符号の説明】
【００６８】
１０：ガスタービン発電システム
１２：ガスタービンシステム
１４：排気処理システム
１６：吸気セクション
１８：圧縮機構成要素
２０：燃焼器構成要素
２２：タービン構成要素
２４：シャフト
２６：矢印
２８：発電機
３０：下流側端部
３２：排気ガス流
３３：混合領域
３４：下流方向
３６：ＣＯ触媒
３８：ＳＣＲ触媒
４０：アンモニア蒸発システム
４２：アンモニア注入グリッド
４４：スタック
４６：タンク
４８：ブロアシステム
５０：ヒータ
５２：アンモニア気化器
５４：ポンプシステム
５６：ファン
５８：過大圧縮機段
６０：入口ガイドベーン組立体
６２：入口ガイドベーン
６４：アクチュエータ
６８：流体注入装置
７０：空気抽出システム
７２：空気流
７４：抽出ダクト
７６：バイパスダクト
７８：補助混合システム
８０：流れ制限システム
８２：ダンパ
８４：アクチュエータ
８６：空気放出システム
８８：ダンパ
９０：空気出口
９２：アクチュエータ
９４：弁
１００：流れ制御装置
１０２：データ
１１０：バイパス空気注入グリッド
１１１：バイパス・エンクロージャ
１１２：ノズル
１１３：空気通路
１１４：空気抽出システム
１１６：入口ガイドベーン
１１８：アクチュエータ
１２０：遠位端
１２２：流れ方向付けシステム
１２４：出口ガイドベーン
１２６：アクチュエータ
１３０：空気放出システム
１３２：ダンパ
１３４：空気出口
１３６：アクチュエータ
１４０：弁
１５０：アクセスドア
２００：流体注入システム
２０２：第１のポンプ
２０４：浄化システム
２０６：第２のポンプ
２０８：流体注入装置
２１０：ノズル
２１２：霧化水
２２０：流体注入装置
２２２：ノズル
２２４：霧化流体
２３０：混合領域
２３２：弁
２３４：弁
２４０：矢印
【図１】
2017015075.tif 000003
【図２】
2017015075.tif 000004
【図３】
2017015075.tif 000005
【図４】
2017015075.tif 000006
【図５】
2017015075.tif 000007
【図６】
2017015075.tif 000008
【図７】
2017015075.tif 000009
【図８】
2017015075.tif 000010
【図９】
2017015075.tif 000011
【外国語明細書】
2017015075000001.pdf